(57)【要約】【課題】プリンタの前側からインクリボンの繰り出しボビン及び巻き取りボビンを着脱するのが前側板によって妨げられてしまうのを回避する。【解決手段】前側板３１と後側板３２とによりインクリボンの繰り出しボビン１１及び巻き取りボビン１２を直接または間接的に支持するようにプリンタを構成し、繰り出しボビン１１及び巻き取りボビン１２をプリンタの前側から着脱するためのボビン着脱用切り欠き３５を前側板３１に形成する。【選択図】        図２
2004237563.tif 000002
【特許請求の範囲】
【請求項１】
前側板と後側板とによりインクリボン用ボビンを直接または間接的に支持するようにしたプリンタにおいて、前記インクリボン用ボビンをプリンタの前側から着脱するためのボビン着脱用切り欠きを前記前側板に形成したことを特徴とするプリンタ。
【請求項２】
印字ヘッドによりインクリボン上のインクをカット紙に対して転写するための印字部と、前記印字部を駆動するための駆動機構とを具備し、前記駆動機構を前記インクリボン用ボビンの前側から排除し、前記インクリボン用ボビンの下側または後側に配置したことを特徴とする請求項１に記載のプリンタ。
【発明の詳細な説明】
【０００１】
【発明の属する技術分野】
本発明は、前側板と後側板とによりインクリボン用ボビンを直接または間接的に支持するようにしたプリンタに関し、特には、インクリボン用ボビンをプリンタの前側から着脱するのが前側板によって妨げられてしまうのを回避することができるプリンタに関する。
【０００２】
【従来の技術】
従来、右側板と左側板とによりインクリボン用ボビンを直接または間接的に支持するようにしたプリンタが知られている。この種のプリンタの例としては、例えば特開２００１−８０８１０号公報に記載されたものがある。特開２００１−８０８１０号公報に記載されたプリンタでは、特開２００１−８０８１０号公報には詳細に記載されていない右側板および左側板によりインクリボン用ボビン（特開２００１−３３５１６６号公報では「インクリボン用カセット」と称されている。）が間接的に支持されている。
【０００３】
詳細には、特開２００１−８０８１０号公報に記載されたプリンタでは、装置が装置本体下部と装置本体上部とに分割されており、装置本体上部がヒンジ部によって装置本体下部に対して回動可能に接続されている。インクリボン用ボビンは、装置本体下部内に収容されており、複数の搬送ローラを支持している右側板および左側板によって間接的に支持されている。装置本体下部には、右側板および左側板の他に、前壁および後壁が形成されている。
【０００４】
つまり、特開２００１−８０８１０号公報に記載されたプリンタでは、インクリボン用ボビンをプリンタの前側から着脱しようとすると、インクリボン用ボビンの着脱が装置本体下部の前壁によって妨げられてしまう。また、インクリボン用ボビンをプリンタの後側から着脱しようとすると、インクリボン用ボビンの着脱が装置本体下部の後壁によって妨げられてしまう。また、インクリボン用ボビンをプリンタの右側から着脱しようとすると、インクリボン用ボビンの着脱が右側板によって妨げられてしまう。また、インクリボン用ボビンをプリンタの左側から着脱しようとすると、インクリボン用ボビンの着脱が左側板によって妨げられてしまう。すなわち、特開２００１−８０８１０号公報に記載されたプリンタでは、プリンタの上側からでなければインクリボン用ボビンを着脱することができない。
【０００５】
図７は他の従来のプリンタの正面図、図８は図７に示したプリンタの右側面図である。図７及び図８において、１０１は印字ヘッド、１０２は印字ヘッド１０１に対向する位置に配置されたプラテンローラ、１０３は印字ヘッド１０１によりインクリボン（図示せず）上のインクをカット紙Ｓに対して転写するための印字部である。１０４は印字部１０３に供給すべきカット紙Ｓを積載するための給紙部、１０５は給紙部１０４に積載されたカット紙Ｓの束から１枚のカット紙Ｓを分離して供給するための給紙ローラである。１０８ａ，１０８ｂ，１０８ｃは給紙ローラ１０５により供給されたカット紙Ｓを印字部１０３に搬送するための搬送ローラ対、１０９ａ，１０９ｂは印字部１０３においてインクが転写されたカット紙Ｓを搬送するための搬送ローラ対である。
【０００６】
１１０は印字部１０３においてインクが転写されたカット紙Ｓを積載するための排紙トレイ、１１１はインクリボン（図示せず）を印字部１０３に供給するための繰り出しボビン、１１２は印字部１０３に供給されたインクリボン（図示せず）を巻き取るための巻き取りボビンである。１１３は印字ヘッド１０１、繰り出しボビン１１１、及び巻き取りボビン１１２を担持するための蓋部である。蓋部１１３は、印字ヘッド１０１、繰り出しボビン１１１、及び巻き取りボビン１１２を担持した状態で、図８中の矢印で示すようにヒンジ１１４を中心として回動可能である。１１７は電源、１１８はモータ、１１９はメイン基板である。
【０００７】
１３１はヒンジ１１４及び蓋部１１３を介して繰り出しボビン１１１及び巻き取りボビン１１２を間接的に支持するための右側板、１３２はヒンジ１１４及び蓋部１１３を介して繰り出しボビン１１１及び巻き取りボビン１１２を間接的に支持するための左側板である。
【０００８】
図７及び図８に示すように、カット紙Ｓに対して印字が行われる時には、モータ１１８により給紙ローラ１０５が回転駆動され、給紙ローラ１０５及び分離パッド（図示せず）により、給紙部１０４に積載されたカット紙Ｓの束から１枚のカット紙Ｓが分離され、印字部１０３に向かって搬送される。
【０００９】
給紙ローラ１０５から供給された１枚のカット紙Ｓは、次いで、モータ１１８によって回転駆動されている搬送ローラ対１０８ａ，１０８ｂ，１０８ｃにより、印字ヘッド１０１とプラテンローラ１０２との間に搬送される。
【００１０】
図７及び図８には示していないが、インクリボンは繰り出しボビン１１１と巻き取りボビン１１２との間に巻架せしめられている。詳細には、繰り出しボビン１１１から繰り出されたインクリボンは、印字ヘッド１０１とプラテンローラ１０２との間に供給され、次いで、巻き取りボビン１１２によって巻き取られている。
【００１１】
すなわち、カット紙Ｓが印字ヘッド１０１とプラテンローラ１０２との間に搬送されると、カット紙Ｓがインクリボンに当接せしめられ、メイン基板１１９の制御回路（図示せず）からの信号に基づき、インクリボン上のインクが印字ヘッド１０１によってカット紙Ｓに対して転写せしめられる。
【００１２】
インクが転写せしめられたカット紙Ｓは、次いで、モータ１１８によって回転駆動されている搬送ローラ対１０９ａ，１０９ｂにより排紙トレイ１１０に搬送され、排紙トレイ１１０上に積載せしめられる。
【００１３】
ところが、図７及び図８に示した従来のプリンタにおいても、特開２００１−８０８１０号公報に記載されたプリンタと同様に、繰り出しボビン１１１及び巻き取りボビン１１２の上方まで右側板１３１が張り出しているため、ユーザーは、繰り出しボビン１１１及び巻き取りボビン１１２をプリンタの右側（図８の手前側）から着脱することができず、プリンタの上側（図８の上側）から着脱しなければならない。つまり、プリンタの右側（図８の手前側）から繰り出しボビン１１１及び巻き取りボビン１１２を着脱するのが右側板１３１によって妨げられている。そのため、特開２００１−８０８１０号公報に記載されたプリンタでは、ユーザーは、プリンタの右側（図８の手前側）からではなく、プリンタの上側（図８の上側）から繰り出しボビン１１１及び巻き取りボビン１１２を着脱しなければならなくなっている。すなわち、ユーザーが繰り出しボビン１１１及び巻き取りボビン１１２を着脱しづらくなっている。
【００１４】
【特許文献１】
特開２００１−８０８１０号公報
【００１５】
【発明が解決しようとする課題】
前記問題点に鑑み、本発明は、インクリボン用ボビンをプリンタの前側から着脱するのが前側板によって妨げられてしまうのを回避することができるプリンタを提供することを目的とする。
【００１６】
【課題を解決するための手段】
請求項１に記載の発明によれば、前側板と後側板とによりインクリボン用ボビンを直接または間接的に支持するようにしたプリンタにおいて、前記インクリボン用ボビンをプリンタの前側から着脱するためのボビン着脱用切り欠きを前記前側板に形成したことを特徴とするプリンタが提供される。
【００１７】
請求項１に記載のプリンタでは、インクリボン用ボビンをプリンタの前側から着脱するためのボビン着脱用切り欠きが、インクリボン用ボビンを直接または間接的に支持するための前側板に形成されている。そのため、ボビン着脱用切り欠きを介してプリンタの前側からインクリボン用ボビンを着脱することができる。つまり、プリンタの前側からインクリボン用ボビンを着脱するのが前側板によって妨げられてしまうのを回避することができる。
【００１８】
請求項２に記載の発明によれば、印字ヘッドによりインクリボン上のインクをカット紙に対して転写するための印字部と、前記印字部を駆動するための駆動機構とを具備し、前記駆動機構を前記インクリボン用ボビンの前側から排除し、前記インクリボン用ボビンの下側または後側に配置したことを特徴とする請求項１に記載のプリンタが提供される。
【００１９】
請求項２に記載のプリンタでは、印字部を駆動するための駆動機構が、インクリボン用ボビンの前側から排除されている。そのため、プリンタの前側からインクリボン用ボビンを着脱するのが駆動機構によって妨げられてしまうのを回避することができる。
【００２０】
【発明の実施の形態】
以下、添付図面を用いて本発明の実施形態について説明する。
【００２１】
図１は本発明のプリンタの第一の実施形態の正面図、図２は図１に示したプリンタの一部を構成する前側板などの正面図、図３は図１に示したプリンタの一部を構成する後側板などの正面図、図４は図１に示したプリンタの左側面図である。図１〜図４において、１は印字ヘッド、２は印字ヘッド１に対向する位置に配置されたプラテンローラ、３は印字ヘッド１によりインクリボン（図示せず）上のインクをカット紙Ｓに対して転写するための印字部である。４は印字部３に供給すべきカット紙Ｓを積載するための給紙トレイ、５は給紙トレイ４に積載されたカット紙Ｓの束から１枚又は数枚のカット紙Ｓをピックアップするためのピックアップローラである。６はピックアップローラ５によりピックアップされた数枚のカット紙Ｓを１枚のカット紙Ｓに分離するための分離ローラ対の一方を構成するフィードローラ、７は分離ローラ対の他方を構成するリタードローラである。８は分離ローラ対により分離されたカット紙Ｓを印字部３に搬送するための第１搬送ローラ対、９は印字部３においてインクが転写されたカット紙Ｓを搬送するための第２搬送ローラ対である。
【００２２】
１０は印字部３においてインクが転写されたカット紙Ｓを積載するための排紙トレイ、１１はインクリボン（図示せず）を印字部３に供給するための繰り出しボビン、１２は印字部３に供給されたインクリボン（図示せず）を巻き取るための巻き取りボビンである。１３は印字ヘッド１、繰り出しボビン１１、及び巻き取りボビン１２を担持するための蓋部である。蓋部１３は、印字ヘッド１、繰り出しボビン１１、及び巻き取りボビン１２を担持した状態で、図１及び図３中の矢印で示すようにヒンジ１４を中心として回動可能である。１７は電源、１８はモータ、１９はメイン基板である。
【００２３】
３１はヒンジ１４及び蓋部１３を介して繰り出しボビン１１及び巻き取りボビン１２を間接的に支持するための前側板、３２はヒンジ１４及び蓋部１３を介して繰り出しボビン１１及び巻き取りボビン１２を間接的に支持するための後側板である。３３はプリンタの前側からカット紙Ｓを給紙トレイ４に供給するために前側板３１に形成された給紙用切り欠き、３４は排紙トレイ１０に積載されたカット紙Ｓをプリンタの前側から取り出すために前側板３１に形成された排紙用切り欠きである。３５は繰り出しボビン１１及び巻き取りボビン１２をプリンタの前側から着脱するために前側板３１に形成されたボビン着脱用切り欠きである。つまり、前側板３１は、給紙用切り欠き３３、排紙用切り欠き３４、及びボビン着脱用切り欠き３５の分だけ後側板３２よりも小さくされている。３６は、前側板３１のうち、給紙用切り欠き３３が形成されておらず、かつ、排紙用切り欠き３４が形成されておらず、かつ、ボビン着脱用切り欠き３５が形成されていない部分に配置されたプリンタ制御用操作部である。
【００２４】
図１及び図４に示すように、カット紙Ｓに対して印字が行われる時には、モータ１８によりピックアップローラ５が回転駆動され、ピックアップローラ５により、給紙トレイ４に積載されたカット紙Ｓの束から１枚又は数枚のカット紙Ｓがピックアップされ、分離ローラ対（フィードローラ６、リタードローラ７）に供給される。
【００２５】
ピックアップローラ５により分離ローラ対に複数枚のカット紙Ｓが供給された場合には、モータ１８により、リタードローラ７がカット紙Ｓを排紙トレイ４に戻す向きに回転駆動され、リタードローラ７により、複数枚のカット紙Ｓが１枚のカット紙Ｓに分離せしめられる。複数枚のカット紙Ｓが１枚のカット紙Ｓに分離せしめられると、モータ１８からリタードローラ７への駆動力が例えばトルクリミッタにより遮断され、リタードローラ７は、カット紙Ｓを印字部３へ搬送する向きに回転しているフィードローラ６と連れ回りせしめられる。その結果、１枚に分離せしめられたカット紙Ｓが印字部３に向かって搬送される。
【００２６】
一方、ピックアップローラ５により分離ローラ対に１枚のカット紙Ｓが供給された場合には、モータ１８からリタードローラ７への駆動力が上述したトルクリミッタにより遮断され、リタードローラ７は、カット紙Ｓを印字部３へ搬送する向きに回転しているフィードローラ６と連れ回りせしめられる。その結果、１枚のカット紙Ｓが印字部３に向かって搬送される。
【００２７】
分離ローラ対から供給された１枚のカット紙Ｓは、次いで、モータ１８によって回転駆動されている第１搬送ローラ対８により、印字ヘッド１とプラテンローラ２との間に搬送される。
【００２８】
図１及び図４には示していないが、インクリボンは繰り出しボビン１１と巻き取りボビン１２との間に巻架せしめられている。詳細には、繰り出しボビン１１から繰り出されたインクリボンは、印字ヘッド１とプラテンローラ２との間に供給され、次いで、巻き取りボビン１２によって巻き取られている。
【００２９】
すなわち、カット紙Ｓが印字ヘッド１とプラテンローラ２との間に搬送されると、カット紙Ｓがインクリボンに当接せしめられ、メイン基板１９の制御回路（図示せず）からの信号に基づき、インクリボン上のインクが印字ヘッド１によってカット紙Ｓに対して転写せしめられる。
【００３０】
インクが転写せしめられたカット紙Ｓは、次いで、モータ１８によって回転駆動されている第２搬送ローラ対９により排紙トレイ１０に搬送され、排紙トレイ１０上に積載せしめられる。
【００３１】
排紙トレイ１０上に積載されたカット紙Ｓがユーザーによって取り出される時には、図４中に矢印で示すように、排紙トレイ１０が排紙用切り欠き３４（図２及び図４参照）を介してプリンタの前側（図１及び図２の手前側、図４の右側）に引き出され、排紙トレイ１０上のカット紙Ｓがプリンタの前面２０よりも手前側まで引き出される。
【００３２】
また、給紙トレイ４にカット紙Ｓを供給すべき時には、ユーザーにより、カット紙Ｓがプリンタの前側から給紙用切り欠き３３を介して給紙トレイ４に供給される。
【００３３】
また、繰り出しボビン１１及び巻き取りボビン１２を交換すべき時には、図４中に矢印で示すように、繰り出しボビン１１（図示せず）及び巻き取りボビン１２がプリンタの前側からボビン着脱用切り欠き３５を介して着脱される。
【００３４】
第一の実施形態では、図２に詳細に示すように、カット紙Ｓをプリンタの前側から供給するための給紙用切り欠き３３と、カット紙Ｓをプリンタの前側から取り出すための排紙用切り欠き３４とが、繰り出しボビン１１及び巻き取りボビン１２を間接的に支持するための前側板３１に形成されている。そのため、ユーザーは、給紙用切り欠き３３を介してプリンタの前側からカット紙Ｓを供給し、排紙用切り欠き３４を介してプリンタの前側からカットＳを取り出すことができる。つまり、プリンタの側方からではなく、プリンタの前側のみからによって、給紙トレイ４へのカット紙Ｓの供給および排紙トレイ１０からのカット紙Ｓの取り出しの両方を行うことができる。
【００３５】
また、第一の実施形態では、図２に詳細に示すように、繰り出しボビン１１及び巻き取りボビン１２をプリンタの前側から着脱するためのボビン着脱用切り欠き３５が、繰り出しボビン１１及び巻き取りボビン１２を間接的に支持するための前側板３１に形成されている。そのため、ユーザーは、ボビン着脱用切り欠き３５を介してプリンタの前側から繰り出しボビン１１及び巻き取りボビン１２を着脱することができる。つまり、プリンタの上側からではなく、プリンタの前側から繰り出しボビン１１及び巻き取りボビン１２を着脱することができる。すなわち、プリンタの前側から繰り出しボビン１１及び巻き取りボビン１２を着脱するのが前側板３１によって妨げられてしまうのを回避することができる。
【００３６】
つまり、第一の実施形態では、図４に示したように、プリンタの前側のみからによって、給紙トレイ４へのカット紙Ｓの供給、排紙トレイ１０からのカット紙Ｓの取り出し、並びに繰り出しボビン１１及び巻き取りボビン１２の着脱のすべてを行うことができる。
【００３７】
また、第一の実施形態では、図２及び図４に詳細に示すように、前側板３１のうち、給紙用切り欠き３３が形成されておらず、かつ、排紙用切り欠き３４が形成されておらず、かつ、ボビン着脱用切り欠き３５が形成されていない部分にプリンタ制御用操作部３６が配置されている。つまり、プリンタ制御用操作部３６がプリンタの前面２０に配置されている。そのため、プリンタ制御用操作部３６がプリンタの上面、つまり、蓋部１３に配置されるのに伴ってプリンタ制御用操作部３６の配線接続が煩雑になるのを回避することができる。更に、プリンタ制御用操作部３６がプリンタの側面に配置される場合よりもユーザーによる操作性を向上させることができる。
【００３８】
また、第一の実施形態では、図４に示したように、カット紙Ｓがプリンタの前側から給紙用切り欠き３３を介して給紙トレイ４に供給され、排紙トレイ１０に積載されたカットＳが排紙用切り欠き３４を介してプリンタの前側から取り出され、繰り出しボビン１１及び巻き取りボビン１２がプリンタの前側からボビン着脱用切り欠き３５を介して着脱されるのに伴い、印字部３、カット紙Ｓの搬送系などを駆動するための駆動機構を構成する電源１７、モータ１８、メイン基板１９が、給紙トレイ４、排紙トレイ１０、繰り出しボビン１１、及び巻き取りボビン１２の前側から排除されている。詳細には、駆動機構を構成する電源１７、モータ１８、メイン基板１９が、後側板３２の後側（図４の左側）、つまり、繰り出しボビン１１及び巻き取りボビン１２の後側（図４の左側）に配置されている。そのため、プリンタの前側からカット紙Ｓを給紙トレイ４に供給すること、排紙トレイ１０に積載されたカット紙Ｓをプリンタの前側から取り出すこと、並びに繰り出しボビン１１及び巻き取りボビン１２をプリンタの前側から着脱することが、駆動機構を構成する電源１７、モータ１８、メイン基板１９によって妨げられてしまうのを回避することができる。
【００３９】
図５及び図６は図１〜図４に示した排紙トレイを引き出すための引き出し機構を説明する図である。詳細には、図５は図１〜図４に示した排紙トレイなどの拡大正面図、図６は図１〜図４に示した排紙トレイなどの拡大平面図である。図５及び図６において、２１は排紙トレイ１０を支持する第１アーム対の一方を構成するアーム、２１’は排紙トレイ１０を支持する第１アーム対の他方を構成するアーム、２２は排紙トレイ１０を支持する第２アーム対の一方を構成するアーム、２２’は排紙トレイ１０を支持する第２アーム対の他方を構成するアームである。２３は第１アーム対（アーム２１，２１’）により担持された第１シャフト、２４は第２アーム対（アーム２２，２２’）により担持された第２シャフトである。
【００４０】
図５及び図６に示すように、排紙トレイ１０は、第１シャフト２３を介して第１アーム対（アーム２１，２１’）に支持されると共に、第２シャフト２４を介して第２アーム対（アーム２２，２２’）に支持されている。また、排紙トレイ１０は、第１シャフト２３及び第２シャフト２４に対してプリンタの前後方向（図６の上下方向）に摺動可能に第１シャフト２３及び第２シャフト２４によって支持されている。
【００４１】
排紙トレイ１０上に積載されたカット紙Ｓがユーザーによって取り出される時には、図６中に矢印で示すように、排紙トレイ１０が前側板３１（図４参照）よりも前側（図５の手前側、図６の下側）に引き出され、図４に示したように、排紙トレイ１０上のカット紙Ｓがプリンタの前面２０よりも手前側（図２の右側）まで引き出される。
【００４２】
第一の実施形態では、図４〜図６に示したように、前側板３１よりも前側に排紙トレイ１０を引き出すための引き出し機構（アーム２１、アーム２１’、アーム２２、アーム２２’、第１シャフト２３、第２シャフト２４）が設けられている。詳細には、排紙トレイ１０に積載されたカット紙Ｓがプリンタの前面２０よりも手前側まで引き出された状態でカット紙Ｓが取り出される。そのため、図４に実線で示したように排紙トレイ１０が前側板３１と後側板３２との間、つまり、前側板３１よりも後側に位置している状態で排紙トレイ１０に積載されたカット紙Ｓが取り出される場合よりも、カット紙Ｓの取り出しを容易にすることができる。
【００４３】
第一の実施形態では、図１に示したように、繰り出しボビン１１及び巻き取りボビン１２が蓋部１３及びヒンジ１４を介して前側板３１及び後側板３２に間接的に支持されているが、第二の実施形態では、繰り出しボビン１１及び巻き取りボビン１２を前側板３１および後側板３２によって直接支持することも可能である。
【００４４】
また、第一の実施形態では、図４に示したように、印字部３、カット紙Ｓの搬送系などを駆動するための駆動機構を構成する電源１７、モータ１８、メイン基板１９が後側板３２の後側（図４の左側）、つまり、繰り出しボビン１１及び巻き取りボビン１２の後側（図４の左側）に配置されているが、第三の実施形態では、電源１７、モータ１８、メイン基板１９の一部を前側板３１と後側板３２との間、つまり、繰り出しボビン１１及び巻き取りボビン１２の下側に配置することも可能である。
【００４５】
第四の実施形態では、上述した第一から第三の実施形態を適宜組み合わせることも可能である。
【００４６】
本発明のプリンタは、例えば名刺用プリンタに適用可能であるが、他のカット紙用プリンタにも適用可能である。また、本発明のプリンタは、例えば熱転写プリンタに適用可能であるが、他の印字形式のプリンタにも適用可能である。
【００４７】
【発明の効果】
請求項１に記載の発明によれば、ボビン着脱用切り欠きを介してプリンタの前側からインクリボン用ボビンを着脱することができる。つまり、プリンタの前側からインクリボン用ボビンを着脱するのが前側板によって妨げられてしまうのを回避することができる。
【００４８】
請求項２に記載の発明によれば、プリンタの前側からインクリボン用ボビンを着脱するのが駆動機構によって妨げられてしまうのを回避することができる。
【図面の簡単な説明】
【図１】本発明のプリンタの第一の実施形態の正面図である。
【図２】図１に示したプリンタの一部を構成する前側板などの正面図である。
【図３】図１に示したプリンタの一部を構成する後側板などの正面図である。
【図４】図１に示したプリンタの左側面図である。
【図５】図１〜図４に示した排紙トレイなどの拡大正面図である。
【図６】図１〜図４に示した排紙トレイなどの拡大平面図である。
【図７】従来のプリンタの正面図である。
【図８】図７に示したプリンタの右側面図である。
【符号の説明】
１  印字ヘッド
２  プラテンローラ
３  印字部
４  給紙トレイ
８  第１搬送ローラ対
９  第２搬送ローラ対
１０  排紙トレイ
１１  繰り出しボビン
１２  巻き取りボビン
３１  前側板
３２  後側板
３３  給紙用切り欠き
３４  排紙用切り欠き
３５  プリンタ制御用操作部
【図１】
2004237563.tif 000003
【図２】
2004237563.tif 000004
【図３】
2004237563.tif 000005
【図４】
2004237563.tif 000006
【図５】
2004237563.tif 000007
【図６】
2004237563.tif 000008
【図７】
2004237563.tif 000009
【図８】
2004237563.tif 000010